(57)【要約】【課題】周波数変調又は位相変調信号のＦＭ−ＡＭ変換成分による、周波数変調又は位相変調信号より低域に周波数多重された電気信号への干渉を低減してその信号品質を改善する。【解決手段】妨害信号生成回路６は分岐回路５で分岐された周波数変調又は位相変調信号ｆ１からＦＭ−ＡＭ変換された成分Δを生成し、電力・位相・周波数特性調整回路７はＦＭ−ＡＭ変換成分Δの電力・位相・周波数を、周波数又は位相変調信号ｆ１より低域の周波数多重電気信号ｆ２に重畳された周波数変調又は位相変調信号のＦＭ−ＡＭ変換成分と同程度になるように調整して打ち消し成分−Δを生成する。合波回路８はフィルタ２により抽出され、ディレイ調整回路４で打ち消し成分−Δとのタイミングを合わせた信号ｆ１＋Δと打ち消し成分−Δを合成する。【選択図】　　　　図１
2004147238.tif 000002
【特許請求の範囲】
【請求項１】
周波数変調又は位相変調された第１の電気信号と、前記第１の電気信号より低域に周波数多重する第２の電気信号を、それぞれ異なる光波長で強度変調した周波数帯域分割光波長多重信号を共通の受光素子により電気信号に変換して受信する光受信回路であって、
前記受光素子により変換された電気信号から前記第１、第２の電気信号を、それぞれ抽出する第１、第２のフィルタと、
前記第１のフィルタにより抽出された前記第１の電気信号から、前記第１の電気信号のＦＭ−ＡＭ変換成分による前記第２の電気信号に対する妨害信号成分を生成する妨害信号生成手段と、
前記妨害信号生成手段により生成された妨害信号成分の電力・位相・周波数特性を調整して前記第２の電気信号に対する妨害信号成分の打ち消し成分を生成する電力・位相・周波数特性調整手段と、
前記第２のフィルタにより抽出された前記第２の電気信号を前記電力・位相・周波数特性調整手段により生成された打ち消し成分とのタイミングが合うように調整するディレイ調整手段と、
前記ディレイ調整手段によりタイミングが調整された前記第２の電気信号と前記電力・位相・周波数特性調整手段により生成された打ち消し成分を合成する合成手段とを、
備えた光受信回路。
【請求項２】
前記第１のフィルタにより抽出された前記第１の電気信号を増幅して前記妨害信号生成手段に出力する増幅手段を更に備えた請求項１に記載の光受信回路。
【請求項３】
前記第２のフィルタにより抽出された前記第２の電気信号を増幅して前記ディレイ調整手段に出力する増幅手段を、
更に備えた請求項１又は２に記載の光受信回路。
【請求項４】
前記合成手段の入力信号及び出力信号により前記第２の電気信号の信号品質をモニタし、信号品質が最適になるように前記電力・位相・周波数特性調整手段の調整特性を制御するよう構成されている請求項１から３のいずれか１つに記載の光受信回路。
【請求項５】
周波数変調又は位相変調された第１の電気信号と、前記第１の電気信号より低域に周波数多重する第２の電気信号を、それぞれ異なる光波長で強度変調した周波数帯域分割光波長多重光信号を送信する光送信装置と、
請求項１から４のいずれか１つに記載の光受信回路を備えた光受信装置とを、
備えた周波数帯域分割光波長多重伝送システム。
【発明の詳細な説明】
【０００１】
【発明の属する技術分野】
本発明は、周波数帯域分割光波長多重伝送システム及び同システムにおいて周波数帯域を分割する光受信回路に関する。
【０００２】
【従来の技術】
従来、周波数帯域分割光波長多重伝送システムにおける光受信回路としては、下記の特許文献１に記載された回路が知られており、その構成を図８に示す。図８では、受光素子ＰＤの各々の端子（アノード、及びカソード）に接続された、ローパスフィルタＬＰＦ及びハイパスフィルタＨＰＦにより、それぞれ対応する帯域の信号を抽出して帯域を分割するように構成されている。
【０００３】
【特許文献１】
特開平９−２９８５２４号公報（要約、図１）
【０００４】
【発明が解決しようとする課題】
ところで、上記従来の周波数帯域分割光波長多重伝送システムにおける光受信回路では、受光素子ＰＤの各々の端子から対応する帯域を分割するために、ローパスフィルタＬＰＦ及びハイパスフィルタＨＰＦのみで実現しているので、周波数多重された多チャネル信号の複合歪を抑制することは有効である。
【０００５】
しかしながら、単一又は複数の信号が任意の搬送波にて周波数変調又は位相変調された電気信号と、それより低域の周波数軸上に多重する単一又は複数の帯域を有する周波数帯域分割多重電気信号を、それぞれ異なる光波長で強度変調した周波数帯域分割光波長多重信号を共通の受光素子により電気信号に変換して受信する光受信回路では、周波数変調又は位相変調光信号中に存在するＦＭ−ＡＭ成分が、それより低域に周波数多重された信号領域に重畳されるので、周波数変調又は位相変調信号より低域に周波数多重された電気信号への妨害信号となる。従来の技術では、この妨害信号となる周波数変調又は位相変調光信号中のＦＭ−ＡＭ変換成分を低減することができないので、周波数変調又は位相変調信号より低域に周波数多重された電気信号の品質を低下させる要因となっていた。
【０００６】
本発明は上記従来の問題を解決するもので、周波数変調又は位相変調信号のＦＭ−ＡＭ変換成分による、それより低域に周波数多重された電気信号への干渉を低減してその信号品質を改善することができる光受信回路及び周波数帯域分割光波長多重伝送システムを提供することを目的とする。
【０００７】
【課題を解決するための手段】
請求項１に係る発明は上記目的を達成するために、周波数変調又は位相変調された第１の電気信号と、前記第１の電気信号より低域に周波数多重する第２の電気信号を、それぞれ異なる光波長で強度変調した周波数帯域分割光波長多重信号を共通の受光素子により電気信号に変換して受信する光受信回路であって、
前記受光素子により変換された電気信号から前記第１、第２の電気信号を、それぞれ抽出する第１、第２のフィルタと、
前記第１のフィルタにより抽出された前記第１の電気信号から、前記第１の電気信号のＦＭ−ＡＭ変換成分による前記第２の電気信号に対する妨害信号成分を生成する妨害信号生成手段と、
前記妨害信号生成手段により生成された妨害信号成分の電力・位相・周波数特性を調整して前記第２の電気信号に対する妨害信号成分の打ち消し成分を生成する電力・位相・周波数特性調整手段と、
前記第２のフィルタにより抽出された前記第２の電気信号を前記電力・位相・周波数特性調整手段により生成された打ち消し成分とのタイミングが合うように調整するディレイ調整手段と、
前記ディレイ調整手段によりタイミングが調整された前記第２の電気信号と前記電力・位相・周波数特性調整手段により生成された打ち消し成分を合成する合成手段とを、
備えた構成とした。
【０００８】
上記構成により、第１の電気信号のＦＭ−ＡＭ変換成分による第２の電気信号に対する妨害信号成分を生成し、その電力・位相・周波数特性を調整して第２の電気信号に対する妨害信号成分の打ち消し成分を生成するので、第２の電気信号への干渉を低減してその信号品質を改善することができる。
【０００９】
請求項２に係る発明は、請求項１に記載の光受信回路において、前記第１のフィルタにより抽出された前記第１の電気信号を増幅して前記妨害信号生成手段に出力する増幅手段を更に備えたものである。
上記構成により、周波数又は位相変調信号を増幅した後で分岐してＦＭ−ＡＭ変換成分を生成するため、周波数又は位相変調信号帯域の分岐損失による雑音特性劣化を低減できるという効果もある。
【００１０】
請求項３に係る発明は、請求項１又は２に記載の光受信回路において、前記第２のフィルタにより抽出された前記第２の電気信号を増幅して前記ディレイ調整手段に出力する増幅手段とを、
更に備えたものである。
上記構成により、周波数又は位相変調信号より低域の周波数帯域に多重された信号を増幅する回路の後にディレイ調整手段と合成手段を設けるので、それら回路群での損失による第２の信号の雑音特性劣化を低減できるという効果もある。また、周波数又は位相変調信号より低域の周波数帯域に多重された信号、及び周波数又は位相変調信号双方の雑音特性劣化を低減できるという効果もある。
【００１１】
請求項４に係る発明は、請求項１から３のいずれか１つに記載の光受信回路において、前記合成手段の出力信号により前記第２の電気信号の信号品質をモニタし、信号品質が最適になるように前記電力・位相・周波数特性調整手段の調整特性を制御するものである。
上記構成により、妨害信号の低減が自動化され、妨害信号の状態が時間変動しても信号品質の劣化を抑制できるという効果もある。
【００１２】
請求項５に係る発明の周波数帯域分割光波長多重伝送システムは、
周波数変調又は位相変調された第１の電気信号と、前記第１の電気信号より低域に周波数多重する第２の電気信号を、それぞれ異なる光波長で強度変調した周波数帯域分割光波長多重光信号を送信する光送信装置と、
請求項１から４のいずれか１つに記載の光受信回路を備えた光受信装置とを、
備えた構成とした。
上記構成により、周波数又は位相変調信号のＦＭ−ＡＭ変換成分の抑制が受信装置で行えるため、変調装置、送信装置及び分配装置に対する周波数又は位相変調信号のＦＭ−ＡＭ変換成分の仕様を緩和することができ、かつ光波長多重比率の範囲が広がることで設計余裕が拡大し、システムコストを抑制できるという効果もある。
【００１３】
【発明の実施の形態】
以下に本発明の実施の形態について図面を用いて説明する。
＜第１の実施の形態＞
図１は本発明における第１の実施の形態の光受信回路の構成を示すブロック図である。図１における受光素子１は、周波数変調又は位相変調された電気信号ｆ１と、電気信号ｆ１より低域に周波数多重する第２の電気信号ｆ２を、それぞれ異なる光波長で強度変調した周波数帯域分割光波長多重の光信号を電気信号ｆ１＋ｆ２＋Δ（Δは後述）に変換する。フィルタ２は受光素子１のカソード端子に接続され、受光素子１で光信号から変換された周波数帯域分割多重電気信号ｆ１＋ｆ２＋Δから、周波数変調又は位相変調信号ｆ１より低域に周波数多重された電気信号ｆ２＋Δを抽出可能なように構成されている。また、フィルタ３は受光素子１のアノード端子に接続され、受光素子１で光信号から変換された周波数帯域分割多重電気信号ｆ１＋ｆ２＋Δから、周波数変調又は位相変調された信号ｆ１を抽出可能なように構成されている。
【００１４】
ディレイ調整回路４はフィルタ２で抽出された信号ｆ２＋Δの遅延時間を、電力・位相・周波数特性調整回路７により調整された妨害信号成分Δの打ち消し成分−Δとのタイミングが合うように調整可能に構成されている。分岐回路５はフィルタ３により抽出された周波数変調又は位相変調信号ｆ１の一部を分岐し、妨害信号生成回路６へ送出するように構成されている。妨害信号生成回路６は分岐回路５から入力した周波数変調又は位相変調信号ｆ１からそのＦＭ−ＡＭ変換成分Δ（妨害信号成分Δ）を生成可能なように構成されている。電力・位相・周波数特性調整回路７は、妨害信号生成回路６で生成された信号Δの電力・位相・周波数特性を調整して打ち消し成分−Δを生成するように構成されている。合波回路８は電力・位相・周波数特性調整回路から出力された信号−Δとディレイ調整回路４の出力信号ｆ２＋Δを合成可能なように構成されている。
【００１５】
上記のように構成された第１の実施の形態の動作について以下に説明する。入力された周波数帯域分割光波長多重の光信号は、受光素子１で周波数帯域分割多重電気信号ｆ１＋ｆ２＋Δに変換される。変換された周波数帯域分割多重電気信号ｆ１＋ｆ２＋Δからは、フィルタ２で周波数変調又は位相変調信号ｆ１より低域の周波数信号ｆ２と、周波数変調又は位相変調光信号中に存在する周波数変調又は位相変調信号ｆ１のＦＭ−ＡＭ変換された成分Δが共に抽出される。
【００１６】
一方、フィルタ３では、周波数又は位相変調信号ｆ１を主成分とする電気信号が抽出される。分岐回路５は抽出された周波数又は位相変調信号ｆ１の一部を分岐し、妨害信号生成回路６に送出する。妨害信号生成回路６は分岐回路５で分岐された周波数変調又は位相変調信号ｆ１から相当するＦＭ−ＡＭ変換された成分Δを生成する。
【００１７】
生成された妨害信号としてのＦＭ−ＡＭ変換成分Δは、合波回路８に入力される低域側の周波数信号ｆ２に重畳された周波数又は位相変調信号のＦＭ−ＡＭ変換成分Δと時刻、電力、位相、周波数特性が異なるため、まず電力・位相・周波数特性調整回路７に入力され、その妨害信号成分Δの電力、位相、及びそれらの周波数特性が、合波回路８に入力されるＦＭ−ＡＭ変換成分Δと同程度の信号電力、逆位相、周波数特性になるように調整して打ち消し成分−Δを生成する。
【００１８】
次に電力・位相・周波数特性調整回路７から出力される打ち消し成分−Δのタイミングに合わせるため、ディレイ調整回路４にてフィルタ２から出力された電気信号ｆ２＋Δのタイミングを調整した後、両信号ｆ２＋Δ、−Δを合波回路８にて足し合わせることで、周波数又は位相変調信号ｆ１より低域の周波数信号ｆ２に重畳される、周波数又は位相変調信号ｆ１のＦＭ−ＡＭ変換成分Δによる干渉を低減することができる。
【００１９】
以上のように、本発明の第１の実施の形態の構成によれば、周波数帯域分割光波長多重信号を単一の受光素子で一括して光電気変換することによって、周波数又は位相変調信号ｆ１より低域に周波数多重された信号ｆ２に重畳された、周波数又は位相変調光信号中のＦＭ−ＡＭ変換成分Δによる干渉を低減できる光受信回路が得られる。
【００２０】
なお上記構成（及び以下に示す全ての実施の形態）における受光素子１のカソード端子及びアノード端子を入れ替えた構成としても全く同様の効果を有する光受信回路が得られる。
【００２１】
＜第２の実施の形態＞
図２は本発明の第２の実施の形態の光受信回路の構成を示すブロック図である。第１の実施の形態を示す図１と同一の要素には同一の符号を付してその説明は省略する。この実施の形態において、増幅回路９は周波数又は位相変調信号ｆ１を増幅可能なように構成されており、フィルタ３と分岐回路５の間に増幅回路９を設置するように構成している点が第１の実施の形態と異なっている。
【００２２】
以下に本発明の第２の実施の形態の動作について、新たに付加された要素を中心にして説明する。入力された周波数帯域分割光波長多重光信号は、受光素子１で周波数帯域分割多重電気信号ｆ１＋ｆ２＋Δに変換される。変換された周波数帯域分割多重電気信号ｆ１＋ｆ２＋Δからは、フィルタ３で周波数又は位相変調信号ｆ１を主成分とする電気信号が抽出される。抽出された周波数又は位相変調信号ｆ１は、まず低雑音の増幅回路９にて増幅される。
【００２３】
増幅回路９により増幅された周波数又は位相変調信号ｆ１は分岐回路５によって信号の一部が分岐され、妨害信号生成回路６に入力され、以降は本発明の第１の実施の形態と同様の動作をすることによって、光波長多重信号を単一の受光素子で一括して光電気変換することによって、周波数又は位相変調信号ｆ１より低域の周波数信号ｆ１に重畳された周波数又は位相変調光信号中のＦＭ−ＡＭ変換成分Δによる干渉を低減できるとともに、周波数又は位相変調信号ｆ１を分岐する分岐回路５を増幅回路９の後におくことで分岐損失による周波数又は位相変調信号ｆ１の受信回路の雑音特性劣化を抑制することができる。
【００２４】
以上のように、本発明の第２の実施の形態の構成によれば、周波数帯域分割光波長多重信号を単一の受光素子１で一括して光電気変換することによって、周波数又は位相変調信号ｆ１より低域の周波数信号ｆ２に重畳された周波数又は位相変調光信号中のＦＭ−ＡＭ変換成分Δによる干渉を低減できるとともに、周波数又は位相変調信号を分岐する分岐回路５を増幅回路９の後におくことで分岐損失による周波数又は位相変調信号ｆ１の受信回路の雑音特性劣化を抑制可能な光受信回路が得られる。
【００２５】
＜第３の実施の形態＞
図３は本発明の第３の実施の形態の光受信回路の構成を示すブロック図である。第１の実施の形態を示す図１と同一の要素には同一の符号を付してその説明は省略する。この実施の形態において、増幅回路９は周波数又は位相変調信号ｆ１より低域の周波数信号ｆ２を増幅可能なように構成されており、フィルタ２とディレイ調整回路４の間に増幅回路９を設置するように構成した点が第１の実施の形態と異なっている。
【００２６】
以下に本発明の第３の実施の形態の動作について、新たに付加された要素を中心にして説明する。入力された周波数帯域分割光波長多重光信号は、受光素子１で周波数帯域分割多重電気信号ｆ１＋ｆ２＋Δに変換される。受光素子１により変換された周波数帯域分割多重電気信号ｆ１＋ｆ２＋Δからは、フィルタ２で周波数又は位相変調信号ｆ１より低域の周波数信号ｆ２と、周波数又は位相変調信号ｆ１のＦＭ−ＡＭ変換成分Δが抽出される。フィルタ２により抽出された信号ｆ２＋Δは、まず低雑音の増幅回路９にて増幅される。
【００２７】
増幅回路９により増幅された周波数信号ｆ２＋Δはディレイ調整回路４によって、電力・位相・周波数調整回路７から出力される打ち消し成分−Δとタイミングが同一となるように調整された後、合波回路８に送出され、以降第１の実施の形態と同様の動作をして、電力・位相・周波数特性調整回路７の出力信号である打ち消し成分−Δが合成されることによって、光波長多重信号を単一の受光素子１で一括して光電気変換することによって、周波数又は位相変調信号ｆ１より低域の周波数信号ｆ２に重畳された周波数又は位相変調光信号中のＦＭ−ＡＭ変換成分Δによる干渉を低減できるとともに、ディレイ調整回路４と合波回路８を増幅回路９の後におくことで信号損失による周波数又は位相変調信号ｆ１より低域に周波数多重された信号ｆ２の受信回路の雑音特性の劣化を抑制することができる。
【００２８】
以上のように、本発明の第３の実施の形態の構成によれば、周波数又は位相変調信号ｆ１より低域の周波数信号ｆ２を増幅した後にディレイ調整回路４と合波回路８を設けることで、光波長多重信号を単一の受光素子１で一括して光電気変換することによって、周波数又は位相変調信号ｆ１より低域に周波数多重された信号ｆ２に重畳された周波数又は位相変調光信号中のＦＭ−ＡＭ変換成分Δによる干渉を低減できるとともに、周波数又は位相変調信号ｆ１より低域の周波数信号ｆ２の受信回路の雑音特性の劣化を抑制可能な光受信回路が得られる。
【００２９】
＜第４の実施の形態＞
図４は本発明の第４の実施の形態の光受信回路の構成を示すブロック図である。第１の実施の形態を示す図１と同一の要素には同一の符号を付してその説明は省略する。この実施の形態において、増幅回路１０はフィルタ２から出力された周波数又は位相変調信号ｆ１より低域の周波数信号ｆ２を増幅可能なように構成されている。また増幅回路１１はフィルタ３から出力された周波数又は位相変調信号ｆ１を増幅可能なように構成されており、フィルタ２とディレイ調整回路４の間に増幅回路１０を、フィルタ３と分岐回路５の間に増幅回路１１を設置する構成とした点が第１の実施の形態と異なっている。
【００３０】
以下に本発明の第４の実施の形態の動作について、新たに付加された要素を中心にして説明する。入力された周波数帯域分割光波長多重光信号は、受光素子１で周波数帯域分割多重電気信号ｆ１＋ｆ２＋Δに変換される。受光素子１により変換された周波数帯域分割多重電気信号ｆ１＋ｆ２＋Δからは、フィルタ２で周波数又は位相変調信号ｆ１より低域の周波数信号ｆ２と、周波数又は位相変調信号のＦＭ−ＡＭ変換成分Δが抽出される。フィルタ２により抽出された信号ｆ２＋Δは、まず低雑音の増幅回路１０にて増幅される。
【００３１】
一方、受光素子１により変換された周波数帯域分割多重電気信号ｆ１＋ｆ２＋Δから、フィルタ３にて周波数又は位相変調信号ｆ１が抽出され、低雑音の増幅回路１１にて増幅される。増幅回路１１にて増幅された周波数又は位相変調信号ｆ１は、分岐回路５にて周波数又は位相変調信号の一部を分岐し、妨害信号生成回路６に送出する。妨害信号生成回路６は分岐回路５で分岐された周波数又は位相変調信号ｆ１から相当するＦＭ−ＡＭ変換成分Δを生成する。
【００３２】
妨害信号生成回路６により生成された妨害信号としてのＦＭ−ＡＭ変換成分Δは、合波回路８に入力される低域側の周波数信号ｆ２に重畳された周波数又は位相変調信号のＦＭ−ＡＭ変換成分Δと時刻、電力、位相、周波数特性が異なるため、まず電力・位相・周波数特性調整回路７に入力され、その妨害信号成分Δの電力、位相、及びそれらの周波数特性が、合波回路８に入力されるＦＭ−ＡＭ変換成分と同程度の信号電力、逆位相、周波数特性になるように調整されて打ち消し成分−Δが生成される。
【００３３】
次に電力・位相・周波数特性調整回路７から出力される打ち消し成分−Δのタイミングに合わせるため、ディレイ調整回路４にて増幅回路１０で増幅された電気信号ｆ２＋Δのタイミングを調整した後、両信号ｆ２＋Δ、−Δを合波回路８にて足し合わせることで、周波数又は位相変調信号ｆ１より低域の周波数信号ｆ２に重畳される周波数又は位相変調信号のＦＭ−ＡＭ変換成分Δによる干渉を低減することができ、またディレイ調整回路４と合波回路８を増幅回路１０の後段に設置し、分岐回路５を増幅回路１１の後段に設置することで、ディレイ調整回路４と合波回路８及び分岐回路５で生じる信号損失による、各周波数帯域ｆ１、ｆ２の雑音特性劣化を抑制することができる。
【００３４】
以上のように、本発明の第４の実施の形態の構成によれば、周波数又は位相変調信号ｆ１より低域の周波数信号ｆ２へ重畳された周波数又は位相変調信号のＦＭ−ＡＭ変換成分Δによる干渉を低減することができ、かつ各帯域ｆ１、ｆ２の受信回路の雑音特性劣化を抑制することができる光受信回路が得られる。
【００３５】
＜第５の実施の形態＞
図５は本発明の第５の実施の形態の光受信回路の構成を示すブロック図である。第１の実施の形態を示す図１と同一の要素には同一の符号を付してその説明は省略する。また第４の実施の形態とその一部が同一のため、図４と同一の要素についても同一の符号を付してその説明は省略する。この実施の形態は、第４の実施の形態に、周波数又は位相変調信号ｆ１より低域の周波数信号ｆ２の合波回路８の入力ｆ２＋Δ及び出力ｆ２＋Δ’における信号品質を、信号品質モニタ回路１２にて検出可能なように構成されている。また制御回路１３は信号品質モニタ回路１２から出力された信号によって、電力・位相・周波数特性調整回路７を制御可能なように構成されている。
【００３６】
以下に本発明の第５の実施の形態の動作について、新たに付加された要素を中心にして説明する。信号品質モニタ回路１２は、合波回路８への入力信号ｆ２＋Δから周波数又は位相変調信号ｆ１より低域の周波数信号ｆ２＋Δ中に存在する周波数又は位相変調信号のＦＭ−ＡＭ変換成分Δの電力を単一又は複数の周波数ポイントについて検出して制御回路１３に送出するとともに、合波回路８から出力された周波数又は位相変調信号ｆ１より低域の周波数信号ｆ２＋Δ’中に存在する周波数又は位相変調信号のＦＭ−ＡＭ変換成分Δ’の電力を検出し、その電力に応じた検出信号を制御回路１３に出力する。
【００３７】
制御回路１３は信号品質モニタ回路１２から出力された検出信号に基づき、合波回路８の入力ｆ２＋ΔにおけるＦＭ−ＡＭ変換成分Δの電力とその周波数特性と同程度の特性となるように電力・位相・周波数特性調整回路７を自動制御し、また合波回路８の出力ｆ２＋Δ’におけるＦＭ−ＡＭ変換成分Δ’の電力が小さくなるように、生成された打ち消し成分−Δの位相及び周波数特性を電力・位相・周波数特性調整回路７により自動制御することで、周波数又は位相変調信号のＦＭ−ＡＭ変換成分の時間的な状態変化による、周波数又は位相変調信号より低域の周波数信号品質の劣化を抑制できる。
【００３８】
以上のように、本発明の第５の実施の形態の構成によれば、周波数又は位相変調信号ｆ１のＦＭ−ＡＭ変換成分Δの時間的な状態変化による、周波数又は位相変調信号ｆ１より低域の周波数信号ｆ２の品質劣化を自動的に抑制できる光受信回路が得られる。
【００３９】
＜第６の実施の形態＞
図６は本発明の第６の実施の形態における周波数帯域分割光波長多重伝送システムの構成を示すブロック図である。光送信装置１８は、複数の入力端子を持ち、それら入力端子毎に異なった光波長で強度変調する光強度変調器２０ａ〜２０ｎ、及び光強度変調器２０ａ〜２０ｎで、それぞれ変調された各光信号を光波長多重する光波長多重器１９から構成されている。光ファイバ１４は光送信装置１８から出力された光波長多重信号を光受信装置１５へ媒介可能な伝送路を構成している。光受信装置１５は第１〜第６の実施の形態のいずれかで構成されている。
【００４０】
以下に本発明の第６の実施の形態の動作について説明する。光送信装置１８に入力された周波数又は位相変調信号ｆ１及びそれより低域に周波数多重される周波数多重信号ｆ２は、光送信装置１８の光強度変調器２０ａ〜２０ｎによって、それぞれ異なった光波長で強度変調される。そして光波長多重器１９にて光波長多重された光信号は、伝送路である光ファイバ１４を媒介として光受信装置１５に伝達され、光受信装置１５にて周波数又は位相変調信号と、周波数又は位相変調信号より低域に周波数多重されていた周波数信号に分離した後、帯域別に信号処理が行われ出力される。光受信装置１５は、周波数又は位相変調信号より低域の周波数信号へ重畳された、周波数又は位相変調信号のＦＭ−ＡＭ変換成分による干渉を低減可能な第１〜第６の実施の形態のいずれかで構成されることで、光送信装置１８で周波数又は位相変調信号を、光強度変調する際に発生する周波数又は位相変調信号のＦＭ−ＡＭ変換成分に対する光送信装置１８の仕様を緩和することができ、光送信装置１８の低コスト化を図ることが可能となる。
以上のように、本発明の第６の実施の形態の構成によれば、低コストな周波数帯域分割光波長多重伝送システムが得られる。
【００４１】
＜第７の実施の形態＞
図７は本発明の第７の実施の形態における周波数帯域分割光波長多重伝送システムの構成を示すブロック図である。信号発生器２１ａ〜２１ｎは単一又は複数の信号を発生させることができるように構成されている。変調装置２２は複数の周波数又は位相変調器２３ａ〜２３ｎで構成されており、内１台は周波数又は位相変調器２３ａで構成されている。光送信装置２４は光強度変調器２５ａ〜２５ｎ及び光波長多重器２６から構成され、光強度変調器２５ａ〜２５ｎは変調装置２２から入力された電気信号を、それぞれ異なった光波長で強度変調可能なように構成されている。光波長多重器２６は光強度変調器２５ａ〜２５ｎから出力される異なった光波長の光信号を、調整可能な多重比率にて波長多重可能なように構成されている。
【００４２】
光分配装置２７は光送信装置２４から出力された光信号を分配・増幅して光ファイバ２８ａ〜２８ｎに送出可能なように構成されている。光ファイバ２８ａ〜２８ｎは、それぞれ光受信装置２９ａ〜２９ｎに光信号を媒介できるような伝送路を構成し、光受信装置２９ａ〜２９ｎは第１〜第６の実施の形態のいずれかで構成されている。
【００４３】
以下に本発明の第７の実施の形態の動作について説明する。信号発生器２１ａ〜２１ｎはＴＶ信号などの単一又は複数の信号を発生する。周波数又は位相変調器２３ａは信号発生器２１ａ〜２１ｎの単一又は複数から入力された信号を調整可能な周波数の搬送波にて周波数変調又は位相変調する。一方、周波数又は位相変調器２３ｂ〜２３ｎは、周波数又は位相変調器２３ａに出力した信号発生器以外の信号発生器２１ａ〜２１ｎから入力された信号を任意の変調方式にて変調する。ただし周波数又は位相変調器２３ｂ〜２３ｎの各出力における変調信号の周波数帯域の重なりが少なくなるように、あらかじめ周波数帯域配列が決定されている。
【００４４】
光送信装置２４は変調装置２２の周波数又は位相変調器２３ａ〜２３ｎから出力された信号を、光強度変調器２５ａ〜２５ｎで、それぞれ異なった光波長λａ〜λｎにて強度変調し、光波長多重器２６にて調整可能な電力多重比率にて光波長多重して光分配装置２７に送出する。光分配装置２７は入力された光波長多重信号を増幅・分配して伝送路である光ファイバ２８ａ〜２８ｎに送出する。光分配装置２７から送出された各光波長多重信号は、それぞれ、伝送路である光ファイバ２８ａ〜２８ｎに媒介され、光受信装置２９ａ〜２９ｎに至る。光受信装置２９ａ〜２９ｎは第１〜第６の実施の形態のいずれかで構成されているので、変調装置２２と光送信装置２４及び光分配装置２７で生じた周波数又は位相変調信号のＦＭ−ＡＭ変換成分による、周波数又は位相変調信号より低域の周波数信号への干渉を低減できるため、周波数又は位相変調信号と同時に伝送される周波数信号の電力多重比率の選択範囲が広がり、光伝送システムとしての設計余裕の拡大と、システム全体の低コスト化が可能となる。
【００４５】
以上のように、本発明の第７の実施の形態の構成によれば、単一又は複数の信号を発生する信号発生器２１ａ〜２１ｎと、信号発生器２１ａ〜２１ｎから入力された電気信号を周波数又は位相変調する変調器を含む変調器２３ａ〜２３ｎで構成される変調装置２２と、変調装置２２から入力された変調信号を、それぞれ異なった光波長で強度変調する光強度変調器２５ａ〜２５ｎ及び光強度変調器２５ａ〜２５ｎの出力光信号を調整可能な多重比率で光波長多重可能な光波長多重器２６で構成される光送信装置２４と、光送信装置２４の出力光信号を増幅・分配する光分配装置２７と、光分配装置２７の出力信号を光受信装置２９ａ〜２９ｎに媒介する伝送路の光ファイバ２８ａ〜２８ｎと、光ファイバ２８ａ〜２８ｎにて伝送された周波数帯域分割光波長多重信号を受信する第１〜第６の実施の形態のいずれかの光受信装置２９ａ〜２９ｎの構成とすることで、周波数又は位相変調信号と同時に伝送される周波数多重信号の電力多重比率の選択範囲が広がり、光伝送システムとしての設計余裕の拡大と、低コスト化が可能な周波数帯域分割光波長多重伝送システムが得られる。
【００４６】
【発明の効果】
以上説明したように請求項１に記載の発明によれば、第１の電気信号のＦＭ−ＡＭ変換成分による第２の電気信号に対する妨害信号成分を生成し、その電力・位相・周波数特性を調整して第２の電気信号に対する妨害信号成分の打ち消し成分を生成するので、第２の電気信号への干渉を低減してその信号品質を改善することができる。
請求項２に係る発明によれば、周波数又は位相変調信号を増幅した後で分岐してＦＭ−ＡＭ変換成分を生成するため、周波数又は位相変調信号帯域の分岐損失による雑音特性劣化を低減できるという効果もある。
請求項３に係る発明によれば、周波数又は位相変調信号より低域の周波数帯域に多重された信号を増幅する回路の後にディレイ調整手段と合成手段を設けるので、それら回路群での損失による第２の信号の雑音特性劣化を低減できるという効果もある。また、周波数又は位相変調信号より低域の周波数帯域に多重された信号、及び周波数又は位相変調信号双方の雑音特性劣化を低減できるという効果もある。
請求項４に係る発明によれば、妨害信号の低減が自動化され、妨害信号の状態が時間変動しても信号品質の劣化を抑制できるという効果もある。
請求項５に係る発明によれば、周波数又は位相変調信号のＦＭ−ＡＭ変換成分の抑制が受信装置で行えるため、変調装置、送信装置及び分配装置に対する周波数又は位相変調信号のＦＭ−ＡＭ変換成分の仕様を緩和することができ、かつ光波長多重比率の範囲が広がることで設計余裕が拡大し、システムコストを抑制できるという効果もある。
【図面の簡単な説明】
【図１】本発明の第１の実施の形態における光受信回路の構成を示すブロック図
【図２】本発明の第２の実施の形態における光受信回路の構成を示すブロック図
【図３】本発明の第３の実施の形態における光受信回路の構成を示すブロック図
【図４】本発明の第４の実施の形態における光受信回路の構成を示すブロック図
【図５】本発明の第５の実施の形態における光受信回路の構成を示すブロック図
【図６】本発明の第６の実施の形態における周波数帯域分割光波長多重伝送システムの構成を示すブロック図
【図７】本発明の第７の実施の形態における周波数帯域分割光波長多重伝送システムの構成を示すブロック図
【図８】従来例を示すブロック図
【符号の説明】
１　受光素子（ＰＤ）
２、３　フィルタ
４　ディレイ調整回路
５　分岐回路
６　妨害信号生成回路
７　電力・位相・周波数特性調整回路
８　合波回路
９、１０、１１　増幅回路
１２　信号品質モニタ回路
１３　制御回路
１４、２８　光ファイバ
１５、２９　光受信装置
１８、２４　光送信装置
１９、２６　光波長多重器
２０、２５　光強度変調器
２１　信号発生器
２２　変調装置
２３　周波数又は位相変調器
２７　光分配装置
【図１】
2004147238.tif 000003
【図２】
2004147238.tif 000004
【図３】
2004147238.tif 000005
【図４】
2004147238.tif 000006
【図５】
2004147238.tif 000007
【図６】
2004147238.tif 000008
【図７】
2004147238.tif 000009
【図８】
2004147238.tif 000010